(57)【特許請求の範囲】
【請求項１】
空気を充気すると膨脹する気柱 から逆Ｕ字状に形成された複数の縦気柱と該縦気柱の間に横架した横気柱とで骨格を形成し、該骨格の天面及び側面全体が覆われるように天幕布を設置してなる膨脹型簡易ハウスであって、前記天幕布の内面の前記縦気柱と横気柱とで囲まれる部分のそれぞれに袋を設け、該袋は開閉自在な開口を有して形成され、この袋の中に面状発熱体を設置し、前記縦気柱の内側に内張布を、全部又は一部を着脱自在に取りつけて、前記天幕と内張り布の間に空隙を形成せしめ、前記面状発熱体により前記空隙を加温することを特徴とする寒冷地用膨脹型簡易ハウス。
【発明の詳細な説明】
【０００１】
【発明の属する技術分野】
本発明は、空気を充填すると膨脹して骨格の形成に伴って天幕布が展張される膨脹型簡易ハウス、特に天幕布の積雪を容易に排除する寒冷地用膨脹型簡易ハウスに関するものである。
【０００２】
【従来の技術】
従来、空気を充填すると膨脹する気柱から、柱部位と梁部位を一連一体に備える逆Ｕ字状に形成した複数本の縦気柱を所定間隔を置いて起立し、該縦気柱の間の棟部位及び横桟部位に横気柱を横架設置して骨格を組み立て、該骨格の天面及び側面全体を覆うよに天幕布を設置してなる膨脹型簡易ハウスは、近年広い分野で利用されている。
【０００３】
ところで、前記膨脹型簡易ハウスの耐風雨、耐積雪強度は、主として膨脹する骨格の保形強度に委ねられるものであり、それ故に、寒冷地仕様の膨脹型簡易ハウスにあっては、図６に示すように、骨格（イ）が積雪による荷重に耐えるように、縦気柱（ロ）の間に横架する横気柱（ハ）の数を増やして骨格（イ）の強度を補強したり、天幕布（ニ）の天面に積もった雪が自然に滑り落ち易くするために、天面を急勾配にしたり、或は、天幕布（ニ）の内側に内張り布（ホ）を設けて該天幕布（ニ）と内張り布（ホ）との間に形成された空隙（ヘ）に熱空気層を設け、室内の断熱効果と同時に天面に積もった雪を融かして天面に雪が積もるのを極力防いで骨格（イ）の荷重負担を小さくする構造に形成している。
【０００４】
【発明が解決しようとする課題】
しかしながら、従来の技術で述べた骨格の補強手段として、天面を急勾配にすると、膨脹式気柱からなるハウス内に広い居住空間を確保することができないという難点があり、しかも、降雪地の雪質によっては、急勾配であっても、天幕布に積もった雪が滑り落ちずに天幕布に付着してしまうし、また、内張りによって形成された空隙の熱空気層は、室内の断熱効果は得られても、天幕布に付着した雪を融かす効果は得られないために、天幕布の雪嵩を高く積もらしてしまう。膨脹式気柱からなる骨格は２０ｃｍ程度の積雪による荷重で座屈してしまうことから免れられないという課題があった。
【０００５】
本発明は、上記の点に鑑みてなされたものであって、その目的とするところは、標準仕様と同様の天面の勾配を緩やかにして、ハウス内の居住空間を可及的に広くすると共に、天幕布に付着する雪を効果的に融かして天面の雪が自然に滑り落ちるようにして、標準仕様の骨格構造でも降雪地で十分な強度を保持して使用可能とする寒冷地用膨脹型簡易ハウスを提供するものである。
【０００６】
【課題を解決するための手段】
上記目的を達成するために、本発明に係る寒冷地用膨脹型簡易ハウスは、空気を充気すると膨脹する気柱から逆Ｕ字状に形成された複数の縦気柱と該縦気柱の間に横架した横気柱とで骨格を形成し、該骨格の天面及び側面全体が覆われるように天幕布を設置してなる膨張型簡易ハウスであって、前記天幕布の内面の前記縦気柱と横気柱とで囲まれる各部分のそれぞれに袋を設け、該袋は開閉自在な開口を有して形成され、この袋の中に面状発熱体を装着自在に設置してなる。また、前記縦気柱及び横気柱の内側に難燃性布の内張布を、全部または一部を着脱自在に取りつけて、前記天幕布と内張布との間に空隙を形成せしめ、前記面状発熱体により前記空隙を加温することを特徴とする。
【０００７】
前記袋は、天幕布の内面に当布の一端を接着し、該当布の他端には、有鈎ファスナ−の一方を縫着し、該有鍵ファスナ−の他方を天幕布の内面に接着してなるのが好ましい。
【０００８】
前記袋は、当布の略半分が天幕布の内面に接着され、該当布は二つ折にされ、当布の両端には、組をなすファスナ−の一方と他方とがそれぞれ縫着されてなるのが好ましい。
【０００９】
骨格を形成する縦気柱の梁は緩やかな勾配を備えて形成するのが好ましい。
【００１０】
【発明の実施の形態】
本発明の実施の形態を図面を参照して説明すると、図１は本発明の膨脹型簡易ハウスの天幕布を一部切欠して示す斜視図、図２はその膨脹型簡易ハウスの正面図、図３は図２のＡ−Ａ線断面図で、空気を充気すると膨脹する気柱からなる縦気柱１は、左右の柱部位１ａと梁部位１ｂを一連一体に有する逆Ｕ字状に形成され、同じく空気を充気すると膨脹する気柱からなる横気柱２を形成し、所定間隔を置いて起立設置された複数の前記縦気柱１の間には棟部位及び桟部位のそれぞれの箇所に前記横気柱２を一体に固着して骨組された骨格３を形成し、該骨格３の天面及び側面全体が覆われるように天幕布４を設置し、前記縦気柱１と横気柱２とで囲まれる天幕布４の内面には、開閉自在な袋５が設けられ、該袋５に面状発熱体６を着脱自在に設置して構成する。
【００１１】
なお、前記縦気柱１及び横気柱の内側に、難燃性の織物からなる内張布７が接着又はファスナ−等の手段で結合され、天幕布４と内張布７との間に空隙８が備えられる。また、前記縦気柱１は梁部位１ｂを緩やかに傾斜させて形成し、天面部位が、標準仕様のような緩やかな勾配となるようにするのが好ましい。
【００１２】
【実施例１】
図４は、この実施例１の袋を天幕布に設置して示す要部断面図で、天幕布４の内面に当布９の一端を接着し、該当布９の他端には、組をなす有鈎ファスナ−の一方の有鈎ファスナ−１０ａを縫着設置し、他方の有鍵ファスナ−１０ｂを天幕布４の内面に接着により設置して、天幕布４と当布９とで開閉自在な袋５が形成される。そして、前記袋５には面状発熱体６が内蔵されて有鈎ファスナ−１０ａ，１０ｂを結合する。
なお、この袋５は、当布９の上端側で天幕布４に固着９ａし、下端側を有鈎ファスナ−１０ａ，１０ｂにより開閉自在に形成設置するのが好ましい。
【００１３】
前記面状発熱体６は、導電性ゴムシ−トの面状発熱体又は金属繊維を織り込んだ布の両面にゴム又は合成樹脂を被覆した面状発熱体で、通電すると、１００Ｖで３５〜４５°Ｃ程度に発熱するものであり、リ−ド線の端子（図示せず）は、袋５及び内張布７から外部へ引き出される。
【００１４】
【実施例２】
図５はこの実施例２の袋を天幕布に設置して示す要部断面図で、当布１１の略半分の一方が天幕布４の内面に接着１１ａにより固着され、該当布１１は二つ折にされて他方の半分を自由状態とし、この当布１１の固着された側の端部と、自由状態の側の端部には、組をなす有鈎ファスナ−の一方の有鈎ファスナ−１２ａと他方の有鈎ファスナ−１２ｂとがそれぞれ縫着されて開閉自在な袋５を形成する。そして、該袋５には、面状発熱体６が内蔵されて組をなす有鍵ファスナ−１２ａと有鈎ファスナ−１１ｂを結合する。
【００１５】
【発明の効果】
本発明の寒冷地用膨脹型簡易ハウスは、上述の構成であるので、次のような効果を奏する。
天幕布並びに内張布及び縦気柱並びに横気柱とで形成される空隙内に設けた袋内に、面状発熱体を内蔵させているので、天幕布を加温する効率が頗る良く、標準仕様と同様の緩やかな勾配の天面部であっても、天面に積もった雪が融かされて自然に滑り落ちて雪が天幕布に付着して積もるようなことがない。従って、天面部の急勾配にした居住空間の小さいものや、横気柱の本数を必要以上に多くした従来のような寒冷地用の骨格のものの製造を不要とし、従来の標準仕様の骨格の使用のもので降雪地に用いることができる。
【００１６】
前記面状発熱体は、小さい単位体からなるので、袋から容易に取り出すことができる。そのために、ハウスを収納する際は、面状発熱体と袋から取り出してから折りたたむことができるので、面状発熱体とハウスの双方を損傷させることがない。更に、前記面状発熱体は、電流回路的にも個々に独立したものとしたり、群別にすることもできるので、部分的に加温することができ、節電効果も得られるし、仮に、免状発熱体に支障が生じても部分的な交換がなし得て経済的でもある。
【図面の簡単な説明】
【図１】本発明の膨脹型簡易ハウスの天幕布を一部切欠して示す斜視図である。
【図２】本発明の膨脹型簡易ハウスの正面図である。
【図３】図２のＡ−Ａ線断面図である。
【図４】本発明の実施例１の袋を設置して示す要部断面図である。
【図５】本発明の実施例２の袋を設置して示す要部断面図である。
【図６】従来の膨脹型簡易ハウスの縦断側面図である。
【符号の説明】
１      縦気柱
１ａ    柱部位
１ｂ    梁部位
２      横気柱
３      骨格
４      天幕布
５      袋
６      面状発熱体
７      内張布
８      空隙
９      当布
１０ａ  組をなす一方の有鈎ファスナ−
１０ｂ  組をなす他方の有鈎ファスナ−
１１    当布
１２ａ  組をなす一方の有鈎ファスナ−
１２ｂ  組をなす他方の有鈎ファスナ−
【図１】
0003814730.tif 000002
【図２】
0003814730.tif 000003
【図３】
0003814730.tif 000004
【図４】
0003814730.tif 000005
【図５】
0003814730.tif 000006
【図６】
0003814730.tif 000007